(57)【特許請求の範囲】
【請求項１】
底壁と、前記底壁に対向配置される上壁とを備え、前記底壁と前記上壁との間に長尺状の両面粘着テープとフィルムテープとインクリボンとを収納するテープカセットであって、
前記上壁の上面から上方に突出する外縁起立部と、
前記底壁の底面から上方に凹んだ部位であって、前記外縁起立部と嵌合する形状に形成された外縁凹部と、
前記上面から上方に突出し、前記上面を横切るように延設される壁面突出部と、
前記底面から上方に凹んだ部位であって、前記壁面突出部と嵌合する形状に形成された壁面溝部と
を備え、
前記外縁起立部は、前記両面粘着テープと前記フィルムテープと前記インクリボンとを収納する収納空間の外縁に沿って形成され、
前記壁面突出部および前記壁面溝部が形成された位置には、前記インクリボンを巻き取るリボン巻取りスプールの一部が配置されるとともに、前記リボン巻取りスプールを臨む孔の一部がそれぞれ形成され、
前記壁面突出部および前記壁面溝部は、延設方向に垂直な断面の形状が滑らかな弧を描く形状に形成されていることを特徴とするテープカセット。
【請求項２】
前記外縁起立部の上下方向の高さ、および前記壁面突出部の上下方向の高さが、前記底壁と前記上壁との距離であるカセット幅に関わらず同じであることを特徴とする請求項１に記載のテープカセット。
【請求項３】
前記壁面突出部の上下方向の高さが、前記外縁起立部の上下方向の高さ以下であることを特徴とする請求項１または２に記載のテープカセット。
【請求項４】
前記外縁起立部は、前記収納空間の前記外縁を略環状に取り巻き、且つ上下方向の高さが一定であり、
前記外縁凹部は、上下方向の高さが一定であることを特徴とする請求項１〜３のいずれかに記載のテープカセット。
【発明の詳細な説明】
【技術分野】
【０００１】
本発明は、長尺状のテープを収納するテープカセットに関する。
【背景技術】
【０００２】
従来、上壁外面および底壁外面に、所定の状態で積み重ねた場合にのみ互いに係合するスタック凹部およびスタック凸部を形成した箱状の収納ケースが知られている（例えば、特許文献１参照）。これによると、スタック凹部とスタック凸部とを係合させることで、姿勢および向きを揃えた状態で複数の収納ケースを積み重ねることができる。上方に載置されている収納ケースが滑り落ちてしまうおそれを低下させることもできる。
【先行技術文献】
【特許文献】
【０００３】
【特許文献１】特開２００２−１０４５６８号公報
【発明の概要】
【発明が解決しようとする課題】
【０００４】
しかしながら、収納ケースを積み重ねる場合、スタック凹部とスタック凸部とが係合するように、２つの収納ケースの四隅の位置を正確に一致させてから積み重ねなければならない。特許文献１に記載のスタック凹部およびスタック凸部によると、収納ケースの前後方向の位置と左右方向の位置とを同時に一致させなければならず、位置合わせの作業が煩雑であるという問題点があった。
【０００５】
本発明は上記課題を解決するためになされたものであり、容易に積み重ねることができるテープカセットを提供することを目的とする。
【課題を解決するための手段】
【０００６】
上記目的を達成するために、本発明の請求項１に記載のテープカセットは、底壁と、前記底壁に対向配置される上壁とを備え、前記底壁と前記上壁との間に長尺状の両面粘着テープとフィルムテープとインクリボンとを収納するテープカセットであって、前記上壁の上面から上方に突出する外縁起立部と、前記底壁の底面から上方に凹んだ部位であって、前記外縁起立部と嵌合する形状に形成された外縁凹部と、前記上面から上方に突出し、前記上面を横切るように延設される壁面突出部と、前記底面から上方に凹んだ部位であって、前記壁面突出部と嵌合する形状に形成された壁面溝部とを備え、前記外縁起立部は、前記両面粘着テープと前記フィルムテープと前記インクリボンとを収納する収納空間の外縁に沿って形成され、前記壁面突出部および前記壁面溝部が形成された位置には、前記インクリボンを巻き取るリボン巻取りスプールの一部が配置されるとともに、前記リボン巻取りスプールを臨む孔の一部がそれぞれ形成され、前記壁面突出部および前記壁面溝部は、延設方向に垂直な断面の形状が滑らかな弧を描く形状に形成されていることを特徴とする。
【０００７】
【０００８】
本発明の請求項２に記載のテープカセットは、請求項１に記載の発明の構成に加え、前記外縁起立部の上下方向の高さ、および前記壁面突出部の上下方向の高さが、前記底壁と前記上壁との距離であるカセット幅に関わらず同じであることを特徴とする。
【０００９】
【００１０】
本発明の請求項３に記載のテープカセットは、請求項１または２に記載の発明の構成に加え、前記壁面突出部の上下方向の高さが、前記外縁起立部の上下方向の高さ以下であることを特徴とする。
本発明の請求項４に記載のテープカセットは、請求項１〜３のいずれかに記載の発明の構成に加え、前記外縁起立部は、前記収納空間の前記外縁を略環状に取り巻き、且つ上下方向の高さが一定であり、前記外縁凹部は、上下方向の高さが一定であることを特徴とする。
【発明の効果】
【００１１】
本発明の請求項１に記載のテープカセットによると、上面および底面のそれぞれを横切るように形成された壁面突出部と壁面溝部とを嵌合させることで、壁面突出部が延びる方向に垂直な方向での２つのテープカセットの位置合わせを容易に行うことができる。従って、ユーザは、２つのテープカセットの姿勢及び向きを容易に一致させることができる。これにより、外縁起立部と外縁凹部とを容易に嵌合させることができるため、容易に、且つ安定した状態でテープカセットを積み重ねることができる。
【００１２】
特に、壁面突出部および壁面溝部の延設方向に垂直な断面形状は、滑らかな弧を描く。よって、より容易に壁面突出部と壁面溝部とを嵌合させることができる。テープカセットの積み重ねの状態を解除する場合にも、壁面突出部の角と壁面溝部の角とが引っ掛かり難いため、スムーズにテープカセットを取り外すことができる。
【００１３】
更に、外縁起立部と壁面突出部とが共に上面に設けられ、外縁凹部と壁面溝部が共に底面に設けられている。従って、壁面を横切るように形成された壁面突出部のみが上面から突出する形状とはならない。よって、ユーザは、テープカセットを安定した状態で平面上に載置することができる。
【００１４】
請求項２に記載のテープカセットでは、外縁起立部の高さ、および壁面突出部の高さが、カセット幅に関わらず同じである。従って、請求項１に記載の発明の効果に加え、カセット幅が異なるテープカセットを積み重ねる場合でも、ユーザは、テープカセットの外縁起立部および壁面突出部のそれぞれを、隣り合うテープカセットの外縁凹部または壁面溝部に嵌合させることができる。よって、カセット幅が異なるテープカセットであっても容易に積み重ねることができる。
【００１５】
請求項３に記載のテープカセットによると、外縁起立部と壁面突出部とが設けられた壁面を下にしてテープカセットが平面上に載置された場合に、収納空間の外縁に沿った形状である外縁起立部がテープカセットを支持することになる。よって、請求項１または２に記載の発明の効果に加え、ユーザは、底壁および上壁のいずれを下にした場合でも、安定した状態でテープカセットを平面上に載置することができる。
請求項４に記載のテープカセットによると、外縁起立部と外縁凹部が複数の箇所で当接するので、請求項１〜３のいずれかに記載の発明の効果に加え、姿勢および向きを揃えた状態で複数のテープカセットを積み重ねることができる。また、上方に載置されているテープカセットが滑り落ちてしまうおそれを低下させることもできる。
【図面の簡単な説明】
【００１６】
【図１】テープカセット１を右斜め前の上方から見た斜視図である。
【図２】テープカセット１を左斜め後の下方から見た斜視図である。
【図３】上ケース８が取り外された状態のテープカセット１の平面図である。
【図４】テープカセット１の平面図である。
【図５】図４におけるＩ−Ｉ線矢視方向断面図である。
【図６】壁面突出部５１および壁面溝部５６が設けられていないテープカセット１０１を積み重ねる工程の一過程を示す模式図である。
【図７】２つのテープカセット１を積み重ねる工程の一過程を示す模式図である。
【図８】２つのテープカセット１が積み重なった状態を示す模式図である。
【発明を実施するための形態】
【００１７】
以下、本発明の一実施の形態であるテープカセット１について、図面を参照して説明する。なお、参照する図面は、本発明が採用し得る技術的特徴を説明するために用いられるものであり、記載されているテープカセット１の構成等は、それのみに限定する趣旨ではなく、単なる説明例である。
【００１８】
まず、図１乃至図３を参照して、テープカセット１の概略構成について説明する。以下の説明において、図１の左斜め下側および図２の左斜め上側を、テープカセット１の前端側とする。図１の右斜め上側および図２の右斜め下側を、テープカセット１の後端側とする。図１の左斜め上側および図２の左斜め下側を、テープカセット１の左側とする。図１の右斜め下側および図２の右斜め上側を、テープカセット１の右側とする。図１の紙面手前側および図２の紙面奥側をテープカセット１の上側とし、図１の紙面奥側および図２の紙面手前側をテープカセット１の下側とする。
【００１９】
図１および図２に示すように、テープカセット１は、全体として平面視で丸みを帯びた角を有する略直方体状（箱型）の筐体であるカセットケース２を有している。カセットケース２は、下ケース３と上ケース８とから構成されている。下ケース３は、板状の底壁４（図２参照）と、底壁４の外周縁から上方へ立設する側壁５とを備える。上ケース８は、上壁９（図１参照）と、上壁９の外周縁から下方へ立設する側壁１０とを備える。底壁４と上壁９との距離を、テープカセット１のカセット幅という。
【００２０】
下ケース３と上ケース８とが嵌合して固定されることでカセットケース２を構成し、カセットケース２の内部には空間が形成される。カセットケース２は、内部に形成される空間にテープを収納する。カセットケース２は各種のテープを収納できるため、感熱タイプ、レセプタタイプ、ラミネートタイプ、感熱ラミネートタイプ等、各種のテープカセットに利用できる。以下では、一例としてラミネートタイプのテープカセット１を挙げて説明を行う。
【００２１】
カセットケース２は、平面視で直角をなすように外側方向に突出する角部１２を、４つの角のうちの３箇所に有する。カセットケース２の左前方の角にはテープ排出口１３が設けられているため、左前方の角には角部１２は設けられていない。角部１２は、テープカセット１が印刷装置（図示外）に装着された場合に、印刷装置の所定箇所に当接して支持される。
【００２２】
テープカセット１の前側にはアーム部２３が設けられている。アーム部２３は、後述するフィルムテープ３２およびインクリボン３３（図３参照）を案内し、開口２４から送出する。アーム部２３の後方にはヘッド装着部３５が設けられている。テープカセット１が印刷装置に装着されると、印刷装置のヒートシンク（図示外）がヘッド装着部３５に挿入される。ヒートシンクはサーマルヘッドを備えており、このサーマルヘッドによってフィルムテープ３２への印刷が行われる。また、フィルムテープ３２の搬送方向におけるヘッド装着部３５の下流側では、テープ送りローラ３７が回動可能に支持されている。テープ送りローラ３７は、印刷装置の圧接ローラ（図示外）との間にフィルムテープ３２を挟み込んで回転することで、フィルムテープ３２をテープカセット１の内部から引き出す。
【００２３】
図１に示すように、上ケース８には支持孔１５，１７，１９，２１が設けられている。図２に示すように、下ケース３には支持孔１６，１８，２０，２２が設けられている。支持孔１５，１６は、第一テープスプール２５を回転可能に支持する。同様に、支持孔１７，１８は第二テープスプール２６を、支持孔１９，２０はリボン巻き取りスプール２７を、支持孔２１，２２はリボンスプール２８を、それぞれ回転可能に支持する。
【００２４】
図３に示すように、ラミネートタイプであるテープカセット１の内部には、第一テープスプール２５に巻回された両面粘着テープ３１、第二テープスプール２６に巻回された透明なフィルムテープ３２、および、リボンスプール２８に巻回されたインクリボン３３の３種類のロールテープが収納されている。両面粘着テープ３１は、一面に剥離紙が接着された両面テープであり、印刷済みのフィルムテープ３２の印刷面側にテープ排出口１３の近傍で貼り合わされる。インクリボン３３は、第一テープスプール２５とリボンスプール２８との間に配置されたリボン巻き取りスプール２７によって引き出される。引き出されたインクリボン３３は、アーム部２３の開口２４からヘッド装着部３５の前側を通過した後、案内部３９に案内されてリボン巻き取りスプール２７に巻き取られる。フィルムテープ３２は、サーマルヘッドによる印刷が行われた後、両面粘着テープ３１に接着してテープ排出口１３から排出される。
【００２５】
次に、外縁起立部４１について説明する。図１に示すように、上ケース８の上壁９の上面には、略環状の外縁起立部４１が上方に起立している。外縁起立部４１は、上壁９の上面からの高さ（上下方向の高さ）が全周に亘って一定となるように形成されており、外縁起立部４１の外周の角および内周の角は斜めに削がれている。外縁起立部４１の角が面取りされているため、テープカセット１を積み重ねる場合、および積み重ねを解除する場合に、外縁起立部４１の角が引っ掛かるおそれが低い。よって、ユーザはスムーズに作業を行うことができる。
【００２６】
図４は、テープカセット１がテープを収納する収納空間と外縁起立部４１との位置関係を示す。先述したとおり、テープカセット１はラミネートタイプのテープカセットであり、第一テープスプール２５、第二テープスプール２６、リボン巻き取りスプール２７、およびリボンスプール２８の全てにテープが巻回される。両面粘着テープ３１、フィルムテープ３２、およびインクリボン３３（以下、これらをまとめて「テープ３１〜３３」という。）は、テープカセット１の内部の所定の収納空間に収納される。よって、収納空間内の重量密度は、カセットケース２の内部における収納空間外の重量密度よりも大きい。カセットケース２をラミネートタイプ以外のテープカセットに用いる場合にも、テープは全て同一の収納空間内に収まる。そして、外縁起立部４１は、この収納空間の外縁に沿って形成されている。
【００２７】
次に、壁面突出部５１について説明する。図１に示すように、上ケース８の上壁９の上面からは、壁面突出部５１が上方に突出している。壁面突出部５１は、外縁起立部４１が取り囲む領域を左右に横切るように、上壁９の上面に直線状に延設されている。ただし、リボン巻き取りスプール２７に重なる部分、および、印刷装置のセンサが挿入される開口５８，５９に重なる部分には、壁面突出部５１は設けられていない。壁面突出部５１は、上壁９の上面からの高さ（上下方向の高さ）が全長に亘って一定となるように形成されている。
【００２８】
壁面突出部５１の上面の形状、および外縁起立部４１と壁面突出部５１との高さの関係について説明する。図５に示すように、延設方向に垂直な断面を見た場合に、壁面突出部５１の上面の形状は滑らかな凸状となる。そして、外縁起立部４１の上壁９からの高さと、壁面突出部５１の上壁９からの高さとが同一の高さＨとなるように形成されている。よって、上壁９を下にしてテープカセット１を平面上に載置すると、外縁起立部４１および壁面突出部５１が共に平面上に接触する。
【００２９】
また、図５では図示しないが、リボン巻き取りスプール２７（図１および図２参照）は、上壁９の上面から僅かに上方に突出している。よって、上壁９を下にしてテープカセット１を平面上に載置した場合、外縁起立部４１および壁面突出部５１が設けられていなければ、上壁９の壁面の略中央から突出しているリボン巻き取りスプール２７が平面上に接触する。これにより、テープカセット１の姿勢が不安定になる。さらに、リボン巻き取りスプール２７に重量負荷が集中して変形等の不具合を生じさせるおそれもある。外縁起立部４１および壁面突出部５１を備えたテープカセット１によると、上壁９を下にして載置した場合、外縁起立部４１および壁面突出部５１がテープカセット１を支持するため、姿勢が安定し、且つ、リボン巻き取りスプール２７へ重量負荷が集中することもない。
【００３０】
次に、外縁凹部４６について説明する。図２に示すように、下ケース３の底壁４の底面には、壁面よりも凹んだ部位である外縁凹部４６が略環状に形成されている。外縁凹部４６の深さ（底壁４の底面との間の上下方向の距離）は、全周に亘って一定となっている。外縁凹部４６は、上壁９に設けられた外縁起立部４１と嵌合する。外縁起立部４１と外縁凹部４６とが嵌合するように複数のテープカセット１を積み重ねると、底壁４の底面と外縁凹部４６との間に形成された段部４７（図５参照）が、複数の箇所で、外縁起立部４１の内側の縁部４２（図５参照）に当接する。これにより、ユーザは、姿勢および向きを揃えた状態で複数のテープカセット１を積み重ねることができる。上方に載置されているテープカセット１が滑り落ちてしまうおそれを低下させることもできる。
【００３１】
次に、壁面溝部５６について説明する。図２に示すように、下ケース３の底壁４の底面には、壁面よりも凹んだ部位である壁面溝部５６が、外縁凹部４６によって取り囲まれる領域を左右に横切るように直線状に延設されている。壁面溝部５６の深さ（底壁４の底面との間の上下方向の距離）は、全長に亘って一定となっている。
【００３２】
図５に示すように、壁面溝部５６の延設方向に垂直な断面を見た場合に、壁面溝部５６の底面の形状は滑らかな凹状となる。壁面溝部５６の形状は、壁面突出部５１と嵌合する形状である。ユーザは、２つのテープカセット１を積み重ねる場合、テープカセット１の左右方向に延設された壁面突出部５１および壁面溝部５６を互いに嵌合させる。これにより、ユーザは、壁面突出部５１の延設方向に垂直な方向であるテープカセット１の前後方向（図５の左右方向）でのテープカセット１の位置合わせを容易に行うことができる。壁面突出部５１の上面の形状、および壁面溝部５６の底面の形状は、共に滑らかに弧を描く形状である。よって、壁面突出部５１および壁面溝部５６によるテープカセット１の位置合わせが行われる場合、互いの角が引っ掛かることなくスムーズに作業が進行する。位置合わせを解除する場合も同様に、スムーズに嵌合状態が解除される。
【００３３】
なお、テープカセット１には、カセット幅が互いに異なる複数の種類がある。しかし、外縁起立部４１の高さ、外縁凹部４６の深さ、壁面突出部５１の高さ、および壁面溝部５６の深さは、カセット幅に関わらず同じである。この詳細は図８を参照して後述する。
【００３４】
次に、図６乃至図８を参照して、複数のテープカセットを積み重ねる工程の一例について説明する。まず、図６を参照して、従来のテープカセット１０１を積み重ねる工程について説明する。図６は、壁面突出部５１および壁面溝部５６が設けられていないテープカセット１０１を積み重ねる工程の一過程を示す図である。テープカセット１０１には、本実施の形態に係るテープカセット１と同様の形状の外縁起立部１４１および外縁凹部１４６は設けられているが、壁面突出部５１および壁面溝部５６は設けられていない。下のテープカセット１０１の上壁１０９を滑らせながら上のテープカセット１０１を前方（図６の右方）へ移動させると、上のテープカセット１０１の外縁凹部１４６における前方の段部１４７が、下のテープカセット１０１の外縁起立部１４１における前方の内側の縁部１４２に当接する。この状態では、上のテープカセット１０１の姿勢が下のテープカセット１０１の上壁１０９の壁面に対して斜めになっている。よって、上のテープカセット１０１の底壁１０４の後端が、下のテープカセット１０１の外縁起立部１４１に乗り上げたままになってしまい、外縁起立部１４１と外縁凹部１４６とがスムーズに嵌合しない。よって、テープカセット１０１を積み重ねる場合、２つのテープカセット１０１の四隅を一致させてから外縁起立部１４１と外縁凹部１４６とを嵌合させなければならず、積み重ねの作業が煩雑であった。
【００３５】
次いで、図７および図８を参照して、本実施の形態に係るテープカセット１を積み重ねる工程の一例、および効果について説明する。図７は、下のテープカセット１の上壁９を滑らせながら、上のテープカセット１を前方（図７の右方）へ移動させている状態を示す。移動中、上のテープカセット１の底壁４は、下のテープカセット１の壁面突出部５１および外縁起立部４１の両方によって支持される。よって、移動中の上のテープカセット１の姿勢は、下のテープカセット１の上壁９の壁面と略平行となる。
【００３６】
上のテープカセット１の壁面溝部５６が、下のテープカセット１の壁面突出部５１に達すると、壁面溝部５６と壁面突出部５１とが嵌合する。先述したように、本実施の形態では、壁面突出部５１の形状および壁面溝部５６の形状は共に滑らかな弧を描く形状に形成されている。よって、上のテープカセット１が移動するに従って、壁面溝部５６は徐所に、且つスムーズに壁面突出部５１に嵌合する。上壁９の壁面に対する上のテープカセット１の平行姿勢は、壁面突出部５１が設けられていない場合に比べて長い間保たれる。
【００３７】
そして、図８に示すように、壁面突出部５１と壁面溝部５６とが完全に嵌合すると同時に、外縁起立部４１と外縁凹部４６とが嵌合する。従って、ユーザは、壁面突出部５１と壁面溝部５６とを嵌合させることで、壁面突出部５１の延設方向に垂直な方向での２つのテープカセット１の位置合わせを容易に行うことができる。よって、２つのテープカセット１の四隅を一致させてから積み重ねの作業を行わなくても、上のテープカセット１を滑らせながら、容易に外縁起立部４１と外縁凹部４６とを嵌合させることができる。また、壁面突出部５１と壁面溝部５６とを先に嵌合させた状態で、壁面突出部５１の延設方向と平行な方向に上のテープカセット１を滑らせることも可能である。
【００３８】
テープカセット１の外縁起立部４１は、テープを収納する収納空間の外縁に沿って形成されている（図４参照）。収納空間の重量密度は他の部分の重量密度よりも大きい。例えば、外縁起立部４１をテープカセットの全体形状の外周に沿って形成すると、外縁起立部４１が取り囲む領域の中心とテープカセットの重心とが大きくずれる場合がある。このテープカセットを多数積み上げると、上側のテープカセットは、重心が偏っている方向に崩れ落ち易い。これに対し、本実施の形態のテープカセット１を積み重ねると、重量密度が他の部分よりも大きい収納空間の外周で外縁起立部４１と外縁凹部４６とが嵌合し、上のテープカセット１が下のテープカセット１に支持される。よって、複数のテープカセット１は安定した状態で積み重なる。
【００３９】
図８に示すように、上のテープカセット１のカセット幅と、下のテープカセット１のカセット幅とは異なる。しかし、外縁起立部４１の高さ、外縁凹部４６の深さ、壁面突出部５１の高さ、および壁面溝部５６の深さは、カセット幅に関わらず同じである。従って、カセット幅が異なるテープカセット１を積み重ねる場合でも、外縁起立部４１および壁面突出部５１のそれぞれが、上方または下方のテープカセット１の外縁凹部４６および壁面溝部５６に嵌合する。よって、ユーザは、カセット幅が異なるテープカセット１であっても、容易に安定した状態で積み重ねることができる。
【００４０】
テープカセット１では、外縁起立部４１および壁面突出部５１が共に上壁９の上面に設けられている。従って、壁面を横切るように形成される壁面突出部５１のみが壁面から突出する形状とはならない。よって、壁面突出部５１が形成された上壁９を下にしてテープカセット１を平面上に載置した場合でも、テープカセット１の姿勢は安定する。
【００４１】
テープカセット１では、外縁起立部４１の上壁９からの高さと、壁面突出部５１の上壁９からの高さとが同一の高さＨとなるように形成されている。従って、上壁９を下にしてテープカセット１を平面上に載置すると、収納空間の外縁に沿った形状である外縁起立部４１と、上壁９を横切るように形成された壁面突出部５１とが、共に平面上に接触する。よって、ユーザは、安定した状態でテープカセット１を平面上に載置することができる。
【００４２】
また、壁面突出部５１の形状および壁面溝部５６の形状は、共に滑らかな弧を描く形状に形成されている。従って、図８に示す積み重ねの状態を解除する場合でも、壁面突出部５１の角と壁面溝部５６の角とが引っ掛かることはない。よって、ユーザはスムーズに上のテープカセット１を取り外すことができる。
【００４３】
なお、上記実施の形態に示した構成は例示であり、各種の変更が可能であることは言うまでもない。まず、上記実施の形態の外縁凹部４６は、外縁起立部４１の形状とは異なる。このように、外縁凹部４６の形状は外縁起立部４１に嵌合する形状であればよく、外縁起立部４１と同じ形状である必要はない。しかし、外縁凹部４６の形状と外縁起立部４１の形状とを同一に形成してもよいことは勿論である。
【００４４】
上記実施の形態では、壁面突出部５１および壁面溝部５６はテープカセット１の左右方向に延設されているが、上下方向、斜め方向等に延設されていてもよい。１つのテープカセット１に複数の壁面突出部５１および壁面溝部５６を設けてもよい。また、テープカセット１の積み重ねの工程をスムーズに行うためには、壁面突出部５１および壁面溝部５６は、上記実施の形態に示したように直線状に延設されているのが望ましい。しかし、直線状でなくても実現は可能である。
【００４５】
先述したように、上壁９を下にしてテープカセット１を載置した場合の安定性を考慮すると、外縁起立部４１の高さと壁面突出部５１の高さとは同一であることがより望ましい。しかし、壁面突出部５１の高さが外縁起立部４１の高さより低い場合でも、テープカセット１は、収納空間の外縁に沿った形状の外縁起立部４１によって安定して支持される。すなわち、壁面突出部５１の高さが外縁起立部４１の高さ以下であれば、壁面突出部５１が支点となってテープカセット１が揺れ動くことはなく、テープカセット１の姿勢を安定させることができる。
【符号の説明】
【００４６】
１    テープカセット
２    カセットケース
４    底壁
９    上壁
３１    両面粘着テープ
３２    フィルムテープ
３３    インクリボン
４１    外縁起立部
４２    縁部
４６    外縁凹部
４７    段部
５１    壁面突出部
５６    壁面溝部
【図１】
0005552761.tif 000002
【図２】
0005552761.tif 000003
【図３】
0005552761.tif 000004
【図４】
0005552761.tif 000005
【図５】
0005552761.tif 000006
【図６】
0005552761.tif 000007
【図７】
0005552761.tif 000008
【図８】
0005552761.tif 000009